(57)【要約】【課題】ディスク状記録媒体の着脱を円滑に行うことができ、またケース本体に若干の反りが生じていても記録面を傷つけず記録媒体の着脱を円滑に行うことができる。【解決手段】ケース本体の閉鎖時内面側に記録媒体の中心孔を係合するディスク嵌合部を有し、該ディスク嵌合部が２つの対向する弾性変形可能な支持腕部と２つの前記支持腕部により夫々支持された２つの扇形状のボタン部とを備え、２つの扇形状のボタン部はＶ字形状ばねによって連接し、前記扇形状のボタン部の扇状外周縁には外周方向へ突出するディスク掛止部が形成されており、ボタン部をディスク記録媒体の中心孔周縁で押圧することによってＶ字形状ばねの対向する板間が縮小し２つの扇形状のボタン部が近接することによって、記録媒体の中心孔を２つの扇形状のボタン部に外嵌することができ、ディスク掛止部が記録媒体の中心孔の内周縁を係止するディスク嵌合部が形成されている。【選択図】図２
2012066874.tif 000002
【特許請求の範囲】
【請求項１】
ケース本体とケース蓋体とがヒンジによって開閉自在に枢支されるディスク収納ケースにおいて、前記ケース本体の閉鎖時内面側にディスク状記録媒体の中心孔を係合するディスク嵌合部を有し、該ディスク嵌合部が２つの対向する弾性変形可能な支持腕部と２つの前記支持腕部により夫々支持された２つの扇形状のボタン部とを備え、当該２つの扇形状のボタン部は略Ｖ字形状ばねによって連接し、前記扇形状のボタン部の扇状外周縁には外周方向へ突出するディスク掛止部が形成されており、前記ボタン部をディスク記録媒体の中心孔周縁で押圧することによって前記Ｖ字形状ばねの対向する板間が縮小し２つの扇形状のボタン部が近接することによって、ディスク状記録媒体の中心孔を前記２つの扇形状のボタン部に外嵌することができ、前記ディスク掛止部がディスク状記録媒体の中心孔の内周縁を係止するディスク嵌合部が形成されていることを特徴とするディスク状記録媒体用収納ケース。
【請求項２】
前記ディスク嵌合部において、前記扇形状のボタン部が形成された以外でディスク状記録媒体の中心孔を支持する中心孔支持部材がケース本体の内面側より立設し、当該中心孔支持部材が前記扇形状のボタン部の平面と面一又は該ボタン部の平面より突出しており、ディスク状記録媒体を収納した際にディスクの下面に接触するリブが前記中心孔支持部材の外周近傍に設けられていることを特徴とする請求項１に記載されたディスク状記録媒体用収納ケース。
【請求項３】
前記支持腕部の基部近傍であって支持腕部の巾方向に切込部が設けられていることを特徴とする請求項１又は２に記載されたディスク状記録媒体用収納ケース。
【請求項４】
前記支持腕部が、ディスク嵌合部の中心部に向って巾が細くなるように両側面がＳ字カーブ形状に加工されていることを特徴とする請求項１乃至３のいずれか一に記載されたディスク状記録媒体用収納ケース。
【発明の詳細な説明】
【技術分野】
【０００１】
本発明は、ＣＤ、ＤＶＤ、ＥＶＤ（Enhanced Versatile Disc）、ＢＤ（Blu-ray Disc）、ＨＤ ＤＶＤ（High-Definition Digital Versatile Disc）、ＨＶＤ（Holographic Versatile Disc）等のディスク状の記録媒体を収納するケースに関し、特にディスクの取り外し安定性に優れたディスク状記録媒体用収納ケースに関するものである。
【背景技術】
【０００２】
従来、ＣＤ、ＤＶＤ、ＥＶＤ、ＢＤ等がある。これらのディスク状記録媒体は、露出している記録面を保護するために、不使用時には専用のディスク収納ケースに収納されている。
かかるディスク状記録媒体を収納するケースとして、ケース本体内にディスク状記録媒体の中心孔をボタン状部材に着脱自在に固定し、該ボタン状部材の弾性機構によって、中心部を押圧することによって、簡単にディスク状記録媒体の取り外しが可能となるディスク収納ケースが知られていた（例えば、特許文献１〜４等）。
【０００３】
図１０は、従来のディスク状記録媒体用収納ケースの一例を示す平面図である。図１０に示す如く、従来のディスク状記録媒体用収納ケース９０は、ケース本体９１とケース蓋体９２とがヒンジ９３によって開閉自在に枢支される。ディスク嵌合部９５は、２つの支持腕部９４，９４と、その先端に連設された２つのボタン部９７とから構成されている。
従来の支持腕部９４，９４は基部から中心部までの巾が一定であり、表面に切り込みもない。そのため、外部からボタン部に加わる屈曲応力は、支持腕部９４の基部から中心部にあるボタン部までの間で略一定であった。すなわち、図示しないディスク状記録媒体の中心孔を嵌合部９５へ嵌め込む際又は取り外す際に動作をスムーズに行うことができないという問題があった。
【０００４】
特に、このようなディスク状記録媒体用収納ケースは、射出成形によって一体成形されるため、製造条件や製造工程における不具合によって、ケース本体９１が若干反ることが知られていた。そしてケース本体９１が反ることによって、ディスク状記録媒体は嵌合部から取り外す際にボタン部９７における掛止部の一方がディスク状記録媒体の中心縁に引っ掛かり、取り外し難いという問題が生じていた。時にはディスク状記録媒体の記録面に傷をつける原因になっていた。
【０００５】
また嵌合部９５からディスク状記録媒体を取り外す際に、中心部にあるボタン部９７を指で押圧する。この際、ディスク状記録媒体下面側の外周部が縁部９８に接触することによって、ディスク状記録媒体を嵌合部９５より取り外すことができる。しかし、前述の如くケース本体９１が反っている場合は、ディスク状記録媒体下面側の外周部が均等に縁部９８に接触していないので、ディスク状記録媒体の中心孔が嵌合部の掛止部に引っ掛かり、取り外し難いという問題も生じていた。
さらに支持腕部９４が複数設けられている嵌合部においては、支持腕部の巾が細く、繰返し使用時に支持腕部に割れが生じ弾撥力が弱化したり、支持腕部の特に基部近傍が折れるという問題が生じていた。
【０００６】
一方、でディスク状記録媒体用収納ケースにディスク状記録媒体を収納し、閉じた状態で、外側からディスク状記録媒体の中央部にあるボタン部９７を押圧することにより、ディスク状記録媒体が外れることが知られていた。そのため店頭においてディスク状記録媒体の抜き取られることがあり、盗難防止用の装置を備えたディスク状記録媒体用収納ケースも知られていた。
【先行技術文献】
【特許文献】
【０００７】
【特許文献１】特許２８６３３１７号公報
【特許文献２】特表２００２−５３９５７８号公報
【特許文献３】特開２００２−２９３３９２号公報
【特許文献４】特開２００７−７６７４２号公報
【発明の概要】
【発明が解決しようとする課題】
【０００８】
本発明は、上記従来技術の問題点である、ディスク状記録媒体の着脱を円滑に行うことができるディスク状記録媒体用収納ケースを提供することを目的とする。
またケース本体に若干の反りが生じていてもディスク状記録媒体の記録面を傷つけず、ディスク状記録媒体の着脱を円滑に行うことができるディスク記録媒体用収納ケースを提供することを目的とする。
【０００９】
またディスク状記録媒体を嵌合部より取り外す際に主に嵌合部でディスク状記録媒体の下面を支持することによって、ケース本体に若干の反りが生じていても均等にディスク状記録媒体の下面を支持することができる収納ケースを提供することを目的とする。
さらにディスク状記録媒体の盗難を防止するディスク状記録媒体用収納ケースを射出成形装置で簡易・廉価に製造することを目的とする。
【課題を解決するための手段】
【００１０】
本発明は、上記課題を解決するために以下の構成を採用した。
（１）ケース本体とケース蓋体とがヒンジによって開閉自在に枢支されるディスク収納ケースにおいて、前記ケース本体の閉鎖時内面側にディスク状記録媒体の中心孔を係合するディスク嵌合部を有し、該ディスク嵌合部が２つの対向する弾性変形可能な支持腕部と２つの前記支持腕部により夫々支持された２つの扇形状のボタン部とを備え、当該２つの扇形状のボタン部は略Ｖ字形状ばねによって連接し、前記扇形状のボタン部の扇状外周縁には外周方向へ突出するディスク掛止部が形成されており、前記ボタン部を押圧することによって前記Ｖ字形状ばねの対向する板間が縮小し２つの扇形状のボタン部が近接することによってディスク状記録媒体の中心孔を前記２つの扇形状のボタン部に外嵌することができ前記ディスク掛止部によってディスク状記録媒体の中心孔の内周縁を係止するディスク嵌合部が形成されていることを特徴とするディスク状記録媒体用収納ケースである。
【００１１】
ここで、扇形状のボタン部は、ディスク状記録媒体の中心孔の内周形状の一部に沿った曲線を有している。かかる曲線部位の上面の一部又は全部を外周方向へ突出させたディスク掛止部が形成されている。
また前記２つの扇形状のボタン部同士をＶ字形状ばねによって連設することによって、ボタン部同士の近接をＶ字形状ばねの弾撥力によって規制することができる。ここでＶ字形状ばねは、ボタン部の平面より下方側に形成されている。
本発明に係るディスク状記録媒体用収納ケースは、上記構造のディスク嵌合部を有することによって、ディスク状記録媒体の着脱を円滑に行うことができる。
【００１２】
（２）前記ディスク嵌合部において、前記扇形状のボタン部が形成された以外でディスク状記録媒体の中心孔を支持する中心孔支持部材がケース本体の内面側より立設し、当該中心孔支持部材が前記扇形状のボタン部の平面と面一又は該ボタン部の平面より突出しており、ディスク状記録媒体を収納した際にディスクの下面に接触するリブが前記中心孔支持部材の外周近傍に設けられていることを特徴とする上記（１）に記載されたディスク状記録媒体用収納ケースである。
前記中心孔支持部材は、前記扇形状のボタン部の曲線部位とともにディスク状記録媒体の中心孔の内周に密接して、ディスク状記録媒体収納時における安定を図り、４箇所でディスク状記録媒体の内周を支持することから、記録媒体を収納したケースが落下した際においても、応力を分散させることができるため、支持腕部の破損を抑止することができる。
また前記リブによってケース本体に若干の反りが生じていても均等にディスク状記録媒体の下面を支持することができ、ディスク状記録媒体の着脱を円滑に行うことができる。
さらに中心孔支持部材を前記扇形状のボタン部の平面と面一又は該ボタン部の平面より突出するように構成することによって、ケースを閉じた状態で、外側からディスク状記録媒体の中央部にあるボタン部９７を押圧しても、ケースの蓋体の裏面が中心孔支持部材に接触し、ボタン部を押圧することができず、店頭におけるディスク状記録媒体の盗難を防止することができる。
【００１３】
（３）前記支持腕部の基部近傍であって支持腕部の巾方向に切込部が設けられていることを特徴とする上記（１）又は（２）に記載されたディスク状記録媒体用収納ケースである。
前記支持腕部の巾方向に切込部を設けることによって、支持腕部における切込部が形成された箇所を他の箇所よりも耐久性を弱化させることによって、屈曲し易くすることによって、支持腕部の可撓性を向上させることができる。
【００１４】
（４）前記支持腕部が、ディスク嵌合部の中心部に向って巾が細くなるように両側面がＳ字カーブ形状に加工されていることを特徴とする上記（１）乃至（３）のいずれか一に記載されたディスク状記録媒体用収納ケースである。
前記支持腕部の両側面をＳ字カーブ形状に加工することによって、支持腕部の根元部の強度を上げ、中心部に向うほど屈曲率を上げることができる。このような構造によって支持腕部における靭性と弾性を向上させることができる。
特に根元部が高強度であることによって、支持腕部の基部近傍の割れを防止することができる。
【発明の効果】
【００１５】
本発明は、ディスク状記録媒体の着脱を円滑に行うことができるディスク状記録媒体用収納ケースを提供するという効果を奏する。
またケース本体に若干の反りが生じていてもディスク状記録媒体の記録面を傷つけず、ディスク状記録媒体の着脱を円滑に行うことができるディスク記録媒体用収納ケースを提供するという効果を奏する。
【００１６】
またディスク状記録媒体を嵌合部より取り外す際に主に嵌合部でディスク状記録媒体の下面を支持することによって、ケース本体に若干の反りが生じていても均等にディスク状記録媒体の下面を支持することができる収納ケースを提供するという効果を奏する。
さらにディスク状記録媒体の盗難を防止するディスク状記録媒体用収納ケースを射出成形装置で簡易・廉価に提供し得るという効果を奏する。
【図面の簡単な説明】
【００１７】
【図１】本発明に係るディスク状記録媒体用収納ケースを開いた状態を示す平面図である。
【図２】本発明に係るディスク状記録媒体用収納ケースに形成される嵌合部の拡大斜視図である。
【図３】図１に示すディスク状記録媒体用収納ケースにおけるIII−III’一部矢視断面図である。
【図４】図１に示すディスク状記録媒体用収納ケースにおいて、ディスク状記録媒体を嵌合部に固着する際の作用を説明するためのIII−III’一部矢視断面図である。
【図５】図１に示すディスク状記録媒体用収納ケースにおいて、ディスク状記録媒体を嵌合部に固着した状態を示すIII−III’一部断面図である。
【図６】図１に示すディスク状記録媒体用収納ケースにおいて、ディスク状記録媒体を嵌合部から取り外す工程を説明するためのIII−III’一部矢視断面図である。
【図７】図１に示すディスク状記録媒体用収納ケースにおいて、ディスク状記録媒体を嵌合部から取り外す工程を説明するためのIII−III’一部矢視断面図である。
【図８】本発明のディスク状記録媒体用収納ケースの他の実施形態を示す斜視図である。
【図９】本発明に係るディスク状記録媒体用収納ケースに形成される嵌合部の拡大斜視図である。
【図１０】従来のディスク状記録媒体用収納ケースの一例を示す平面図である。
【発明を実施するための形態】
【００１８】
以下、添付図面を参照して、本発明をその好適な実施形態に基づく詳細に説明する。本実施形態に喪徒いられる収納ケースは、ポリ塩化ビニル、ポリプロピレン、ポリエチレンテレフタレート等の材料から射出成形等によって一体成形されるものである。
なお、以下の説明は、本発明に係るディスク状記録媒体用収納ケースの例示であって本発明を限定するものではない。
【００１９】
実施形態１
図１は、本発明に係るディスク状記録媒体用収納ケースの一実施形態を示す平面図である。ディスク状記録媒体用収納ケース１０は開かれた状態にある。
図１に示す如く、本実施形態に係るディスク状記録媒体用収納ケース１０は、ケース本体１とケース蓋体２とがヒンジ３によって開閉自在に枢支されて構成されている。
ケース本体１の裏面側には、図示しないディスク状記録媒体を着脱自在に固着する嵌合部７が略中央に形成されている。
符号４の部材は、後述する追加ディスク収納プレートの軸受部である。また符合５の部材は、取扱説明書等を挟持するための把持部である。
嵌合部７の周囲は記録面収納部６となっており、更にディスク状記録媒体の外周を静置するディスク外周縁部８と略円形状に突出した外周部１１が形成されている。外周部１１には４箇所にディスク状記録媒体を取り外す際に指等をディスクに引っ掛けるための凹部９，９，９，９が形成されている。
【００２０】
嵌合部７は、前記ケース本体の閉鎖時内面側にディスク状記録媒体の中心孔を係合する機能を有する。そのため嵌合部７は、２つの対向する弾性変形可能な支持腕部１２，１２と２つの前記支持腕部１２，１２に連設し、夫々支持された２つの扇形状のボタン部１４，１４とを備えている。
前記２つの扇形状のボタン部１４，１４は略Ｖ字形状ばね１５によって連接している。また前記扇形状のボタン部１４の扇状外周縁には外周方向へ突出するディスク掛止部１６，１６が形成されている。
また前記ディスク嵌合部７において、前記扇形状のボタン部１４，１４が形成された以外でディスク状記録媒体の中心孔を支持する中心孔支持部材１７，１７がケース本体１の内面側より立設している。さらにディスク状記録媒体を収納した際にディスク状記録媒体の下面に接触するリブ１８，１８が前記中心孔支持部材１７，１７の外周に設けられている。
さらに前記支持腕部１２，１２の基部２６近傍であって支持腕部１２の巾方向に切込部２０が設けられている。このように前記支持腕部１２の巾方向に切込部２０を設けることによって、支持腕部１２における切込部２０が形成された箇所が他の箇所よりも屈曲し易くなる。切込部２０を形成することによって、支持腕部１２の当該箇所の耐久性が弱化するためである。
【００２１】
また前記支持腕部１２，１２が、ディスク嵌合部の中心部に向って巾が細くなるように、支持腕部１２，１２の両側面２２，２２は図１に示す如くＳ字カーブ形状に加工されている。
第一の収納ケース１０は、ケース本体１が１９．２ｍｍ×１３．５ｍｍ、ケース蓋体２が１９．２ｍｍ×１３．５ｍｍであり、ヒンジ部３が１９．１ｍｍ×１２ｍｍである。またケース本体１の厚みが７ｍｍであり、ケース蓋体の厚みが７．５ｍｍであり、ケース本体１とケース蓋体を閉じた際の厚みは１４ｍｍである。勿論、本寸法は実施形態１に固有のものであり、本発明の目的の範囲内で自由に設計することができる。
嵌合部７は、支持腕部１２の基部２６の長さは２．１ｍｍであり、切込部２０の長さは１６ｍｍであり、中心孔支持部材１７とリブ１８との間隔は３ｍｍである。
【００２２】
図２は、本実施形態に係るディスク状記録媒体用収納ケースに形成された嵌合部７を示す斜視図である。
図２に示す如く、本実施形態に係る嵌合部７は２つの対向する弾性変形可能な支持腕部１２，１２と２つの前記支持腕部１２に連設し、夫々支持された２つの扇形状のボタン部１４，１４とを備えている。
前記２つの扇形状のボタン部１４，１４は略Ｖ字形状ばね１５によって連接している。また前記扇形状のボタン部１４の扇状外周縁には外周方向へ突出するディスク掛止部１６，１６が形成されている。
前記ボタン部１４をディスク状記録媒体の中心孔の内周縁で押圧することによって、前記Ｖ字形状ばね１５の対向する板間が縮小し２つの扇形状のボタン部１４，１４が近接し、ディスク状記録媒体の中心孔を前記２つの扇形状のボタン部に外嵌することができる。この際、前記ディスク掛止部１６，１６がディスク状記録媒体の中心孔の内周縁の上面側に掛かりディスク状記録媒体を係止することによって、ディスク状記録媒体を嵌合部７に固着することができる。
【００２３】
また前記ディスク嵌合部７において、前記扇形状のボタン部１４，１４が形成された以外でディスク状記録媒体の中心孔を支持する中心孔支持部材１７，１７がケース本体１の内面側より立設している。さらにディスク状記録媒体を収納した際にディスク状記録媒体の下面に接触するリブ１８，１８が前記中心孔支持部材１７，１７の外周に設けられている。
前記中心孔支持部材１７，１７は、前記扇形状のボタン部１４，１４の曲線部位とともにディスク状記録媒体の中心孔の内周に密接して、収納時におけるディスク状記録媒体の固定を安定させる。
また前記リブ１８，１８を設けることによって、ケース本体に若干の反りが生じていても均等にディスク状記録媒体の下面を支持することができ、ディスク状記録媒体の着脱を円滑に行うことができる。
さらに前記支持腕部１２，１２の基部２６近傍であって支持腕部１２の巾方向に切込部２０が設けられている。このように前記支持腕部１２の巾方向に切込部２０を設けることによって、支持腕部１２における切込部２０が形成された箇所が他の箇所よりも屈曲し易くなる。切込部２０を形成することによって、支持腕部１２の当該箇所の耐久性が弱化するためである。
【００２４】
また前記支持腕部１２，１２が、ディスク嵌合部の中心部に向って巾が細くなるように、支持腕部１２，１２の両側面２２，２２は図１に示す如くＳ字カーブ形状に加工されている。
前記支持腕部１２，１２の両側面をＳ字カーブ形状に加工することによって、支持腕部１２の根元部の強度を上げ、中心部に向うほど屈曲率を上げることができる。このような構造によって支持腕部１２における靭性と弾性を向上させることができる。
特に根元部が高強度であることによって、支持腕部１２の基部近傍の割れを防止することができる。
【００２５】
図３は、図１に示すディスク状記録媒体用収納ケースにおけるIII−III’一部矢視断面図である。特に嵌合部７の断面構造を示している。
図３に示す如く、本実施形態に係る嵌合部７は２つの対向する弾性変形可能な支持腕部１２ａ，１２ｂと、２つの前記支持腕部１２に連設し夫々支持された２つの扇形状のボタン部１４ａ，１４ｂとを備えている。支持腕部１２ａ，１２ｂは、基部２６，２６より中心部方向へ傾斜して形成されている。符号２０は、支持腕部１２の巾方向に形成された切込部である。
前記２つの扇形状のボタン部１４ａ，１４ｂは略Ｖ字形状ばね１５によって連接している。Ｖ字形状ばね１５は、図３に示す如く、底部１５ｂを介して対向する板部１５ａと１５ｃとからなっている板ばねである。また前記扇形状のボタン部１４ａ，１４ｂの扇状外周縁には外周方向へ突出するディスク掛止部１６ａ，１６ｂが夫々形成されている。
【００２６】
図４は、図１に示すディスク状記録媒体用収納ケースにおいて、ディスク状記録媒体Ｄを嵌合部７に固着する際の作用を説明するためのIII−III’一部矢視断面図である。
図４に示す如く、本実施形態に係る嵌合部７は２つの対向する弾性変形可能な支持腕部１２ａ，１２ｂと、２つの前記支持腕部１２に連設し夫々支持された２つの扇形状のボタン部１４ａ，１４ｂとを備えている。支持腕部１２ａ，１２ｂは、基部２６，２６より中心部方向へ傾斜して形成されている。符号２０は、支持腕部１２の巾方向に形成された切込部である。
前記２つの扇形状のボタン部１４ａ，１４ｂは略Ｖ字形状ばね１５によって連接している。Ｖ字形状ばね１５は、図３に示す如く、底部１５ｂを介して対向する板部１５ａと１５ｃとからなっている板ばねである。また前記扇形状のボタン部１４ａ，１４ｂの扇状外周縁には外周方向へ突出するディスク掛止部１６ａ，１６ｂが夫々形成されている。
このような構造において、ディスク状記録媒体Ｄを嵌合部に固着する際に、先ずディスク状記録媒体Ｄの中心孔Ｈにおける内周縁下面が、前記ディスク掛止部１６ａ、１６ｂの傾斜面に接触する。そしてディスク状記録媒体Ｄを更に押し下げると、ディスクの中心孔Ｈと摺動するディスク掛止部１６ａ，１６ｂが中心部側へ押される。板ばねにおける板部１５ａと１５ｃとが接近し底部１５ｂに負荷がかかる。
【００２７】
図５は、図１に示すディスク状記録媒体用収納ケースにおいて、ディスク状記録媒体を嵌合部に固着した状態を示すIII−III’一部矢視断面図である。
図４の状態から更にディスク状記録媒体Ｄを押し下げると、板ばねによる弾撥力によって、ディスク掛止部１６ａ，１６ｂの下面にディスク状記録媒体Ｄが係合し固着される。この際、ディスク状記録媒体Ｄの中心孔Ｈの内周面は、中心孔支持部材１７とも接触し、安定して固着される。
図６は、図１に示すディスク状記録媒体用収納ケースにおいて、ディスク状記録媒体を嵌合部から取り外す工程を説明するためのIII−III’一部断面図である。
図５に示した状態において、指等でボタン部１４ａ，１４ｂに圧力を加えると、板ばね１５において対向する板部１５ａと１５ｃとが近接する。この際、ボタン部１４ａ又は１４ｂのどちらか一方に圧力が加わった場合でも、板ばね１５によって、圧力の加わっていないボタン部も圧力が加わった状態と同様の動作が生じる。
そして、ディスク状記録媒体Ｄは、中心孔支持部材１７の外周に設けられている図示しないリブ１８にディスク状記録媒体の下面が接触する。
【００２８】
図７は、図１に示すディスク状記録媒体用収納ケースにおいて、ディスク状記録媒体を嵌合部から取り外す工程を説明するためのIII−III’一部矢視断面図である。
図７に示す如く、ディスク状記録媒体Ｄの下面は中心孔支持部材１７の外周に設けられている図示しないリブ１８に支持されているため、ボタン部１４ａ，１４ｂに圧力を加えることによって、ディスク状記録媒体の中心孔が嵌合部７のボタン掛止部１６ａ，１６ｂから外れる。
本実施形態に係る上記機構により、ディスク状記録媒体の着脱を円滑に行うことができる。またケース本体に若干の反りが生じていてもディスク状記録媒体の記録面を傷つけず、ディスク状記録媒体の着脱を円滑に行うことができる。
さらにディスク状記録媒体を嵌合部より取り外す際に主に嵌合部でディスク状記録媒体の下面を支持することによって、ケース本体に若干の反りが生じていても均等にディスク状記録媒体の下面を支持することができるという優れた効果を奏する。
【００２９】
実施形態２
図８は、本発明のディスク状記録媒体用収納ケースの他の実施形態２を示す斜視図である。
図８の符号３０は、ディスク状記録媒体用収納ケースである。収納ケース３０は、ケース本体３１と蓋体３２と、ケース本体３１と蓋体３２とがヒンジ３３によって開閉自在に枢支されて構成されている。
ヒンジ３３に対向してケース本体３１の他端側とケース蓋体３２の他端側とを着脱自在に係合するようにそれぞれに設けられた係合部材４２，４３とを具備している。
【００３０】
前記ケース本体３１には、ケース蓋体３２に対向する内面側にディスク状記録媒体を固着する第１ディスク嵌合部３７と、記録面収納部３６と、ディスク状記録媒体の外周縁を支持するディスク外周縁部３８とが形成されている。
ヒンジ３３の内側には軸受部４４ａ，４４ｂが設けられ、当該軸受部４４ａ，４４ｂを介してディスク収納プレート４０がヒンジ３３に回動自在に設けられている。ディスク収納プレート４０には、ケース本体３１対向してディスク状記録媒体を取り付ける第２ディスク嵌合部４７とディスク外周縁部４８とが形成されている。
前記収納ケース３０におけるケース蓋体３２の内面側に図示しない解説書等の小冊子その他の付属物を差込可能に収納するクリップ３８，３８が蓋体側壁に沿って二体形成されている。一対のクリップ３８，３８は、ケース蓋体３２から立ち上がって並形に延出しており、クリップ３８，３８の箇所に対応するケース蓋体３２はクリップ型に繰り抜かれて開口３９，３９している。このようにクリップ３８，３８は、開口３９，３９において曲成して延出する形状を融資、弾撥力が付与されている。
【００３１】
実施形態３
図９は、本実施形態に係るディスク状記録媒体用収納ケースに形成された嵌合部６７を示す斜視図である。
図９に示す如く、本実施形態に係る嵌合部６７は２つの対向する弾性変形可能な支持腕部１２，１２と２つの前記支持腕部１２に連設し、夫々支持された２つの扇形状のボタン部１４，１４とを備えている。
前記２つの扇形状のボタン部１４，１４は略Ｖ字形状ばね１５によって連接している。また前記扇形状のボタン部１４の扇状外周縁には外周方向へ突出するディスク掛止部１６，１６が形成されている。
前記ボタン部１４をディスク状記録媒体の中心孔の内周縁で押圧することによって、前記Ｖ字形状ばね１５の対向する板間が縮小し２つの扇形状のボタン部１４，１４が近接し、ディスク状記録媒体の中心孔を前記２つの扇形状のボタン部に外嵌することができる。この際、前記ディスク掛止部１６，１６がディスク状記録媒体の中心孔の内周縁の上面側に掛かりディスク状記録媒体を係止することによって、ディスク状記録媒体を嵌合部７に固着することができる。
【００３２】
また前記ディスク嵌合部６７において、前記扇形状のボタン部１４，１４が形成された以外でディスク状記録媒体の中心孔を支持する中心孔支持部材１７，１７がケース本体１の内面側より立設している。さらにディスク状記録媒体を収納した際にディスク状記録媒体の下面に接触する曲板状のリブ６８，６８が前記中心孔支持部材１７，１７の外周に設けられている。
前記中心孔支持部材１７，１７は、前記扇形状のボタン部１４，１４の曲線部位とともにディスク状記録媒体の中心孔の内周に密接して、収納時におけるディスク状記録媒体の固定を安定させる。
また前記リブ６８，６８を設けることによって、ケース本体に若干の反りが生じていても均等にディスク状記録媒体の下面を支持することができ、ディスク状記録媒体の着脱を円滑に行うことができる。
さらに前記支持腕部１２，１２の基部２６近傍であって支持腕部１２の巾方向に切込部２０が設けられている。このように前記支持腕部１２の巾方向に切込部２０を設けることによって、支持腕部１２における切込部２０が形成された箇所が他の箇所よりも屈曲し易くなる。切込部２０を形成することによって、支持腕部１２の当該箇所の耐久性が弱化するためである。
【００３３】
また前記支持腕部１２，１２が、ディスク嵌合部の中心部に向って巾が細くなるように、支持腕部１２，１２の両側面２２，２２は図１に示す如くＳ字カーブ形状に加工されている。
前記支持腕部１２，１２の両側面をＳ字カーブ形状に加工することによって、支持腕部１２の根元部の強度を上げ、中心部に向うほど屈曲率を上げることができる。このような構造によって支持腕部１２における靭性と弾性を向上させることができる。
特に根元部が高強度であることによって、支持腕部１２の基部近傍の割れを防止することができる。
【符号の説明】
【００３４】
１    ケース本体
２    ケース蓋体
３    ヒンジ
４    軸受部
５    把持部
６    記録面収納部
７    嵌合部
８    ディスク外周縁部
９    凹部
１０  ディスク状記録媒体用収納ケース
１１  外周部
１２  支持腕部
１４  ボタン部
１５  Ｖ字形状ばね
１６  ディスク掛止部
１７  中心孔支持部材
１８  リブ
２０  切込部
２２  両側面２２，２２は図１に示す如くＳ字カーブ形状に加工されている。
２６  基部
【図１】
2012066874.tif 000003
【図２】
2012066874.tif 000004
【図３】
2012066874.tif 000005
【図４】
2012066874.tif 000006
【図５】
2012066874.tif 000007
【図６】
2012066874.tif 000008
【図７】
2012066874.tif 000009
【図８】
2012066874.tif 000010
【図９】
2012066874.tif 000011
【図１０】
2012066874.tif 000012